(57)【要約】      （修正有）【課題】意図的に乳剤散布量を多くすることなく、単位面積あたりの乳剤散布量を計測する方法を提供する。【解決手段】上部が開放された容器１に路盤材２を入れ、容器と共に路盤材を埋設する工程、路盤転圧後に埋設した容器と容器内の路盤材を回収し重量を計測し、再度容器と路盤材を埋設する工程、アスファルト乳剤６を散布した後に容器とアスファルト乳剤が散布された路盤材を回収し重量を計測する工程を有することを特徴とするアスファルト乳剤散布量計測方法。【選択図】図３
2017226988.tif 000002
【特許請求の範囲】
【請求項１】
上部が開放された容器に路盤材を入れ、容器と共に路盤材を埋設する工程
路盤転圧後に埋設した容器と容器内の路盤材を回収し重量を計測し、再度容器と路盤材を埋設する工程
アスファルト乳剤を散布した後に容器とアスファルト乳剤が散布された路盤材を回収し重量を計測する工程
を有することを特徴とするアスファルト乳剤散布量計測方法。
【請求項２】
計測された重量の差をもってアスファルト乳剤の散布量とすることを特徴とする請求項１に記載のアスファルト乳剤散布量計測方法。
【請求項３】
容器の底部と側部の角度が９０度より大きいことを特徴とする、アスファルト乳剤散布量測定用の容器。
【発明の詳細な説明】
【技術分野】
【０００１】
本発明は、舗装工事の際にアスファルト乳剤の散布量を計測する方法である。
【背景技術】
【０００２】
アスファルト舗装工事は、路盤の表面にアスファルト乳剤を散布し表面処理をする方法が採用されている。また、簡易舗装の場合は路盤の表面にアスファルト乳剤を散布する方法が採用されている。このアスファルト乳剤の散布は薄膜を形成するように施工するため、施工の確認検査には工夫が必要である。
【０００３】
例えば、路盤上にアスファルト乳剤を散布しその散布量を計測するために、路盤上の一部に30ｃｍ×30ｃｍ程度の不織布やウレタンマットで作られた吸着体を敷設し、路盤全体にアスファルト乳剤を散布した後に吸着体を回収し重量を計測することで、アスファルト乳剤散布前後の吸着体重量から散布量を計測する。得られた散布量を吸着体の面積で除することで単位面積あたりの散布量を計測する方法がとられている。
【０００４】
この方法では、アスファルト乳剤を散布する作業者が吸着体を目視で確認することが出来るため、計測範囲を特定することができ、計測範囲にアスファルト乳剤を意図的に多く散布してしまう虞がある。
特許文献１には、予め指定された面積を持つ板の散布前と散布後の重量を計測し報告書を作成するシステムが開示されている。
【先行技術文献】
【特許文献】
【０００５】
【特許文献１】特開平９−５９９１７号公報
【発明の概要】
【発明が解決しようとする課題】
【０００６】
本発明は、作業者が意図的に乳剤散布量を多くすることなく、単位面積あたりの乳剤散布量を計測する方法を提供する。
【課題を解決するための手段】
【０００７】
本明の第一の発明は、
路盤転圧前に上部が開放された容器に路盤材を入れ、路盤に埋設する工程
路盤転圧後に埋設した容器と容器内の路盤材を回収し重量を計測し、再度容器と路盤材を埋設する工程
アスファルト乳剤を散布した後に容器とアスファルト乳剤が散布された路盤材を回収し重量を計測する工程
を有することを特徴とするアスファルト乳剤散布量計測方法である。
【０００８】
本発明の第二の発明は、器の底部と側部の角度が９０度より大きいことを特徴とする、アスファルト乳剤散布量測定用の容器である。
【発明の効果】
【０００９】
本発明は、散布量を測定するための容器が路盤材で被覆された状態で埋設されているため存在に気付き難い。アスファルト乳剤を散布する作業者は計測範囲を目視で確認することが困難となり、意図的に計測範囲のみにアスファルト乳剤を多く散布することがなく、単位面積あたりの乳剤散布量を測定することができる。
【図面の簡単な説明】
【００１０】
【図１】第一の工程の状況を示す断面図
【図２】第二の工程の状況を示す断面図
【図３】第三の工程の状況を示す断面図
【発明を実施するための形態】
【００１１】
本発明は、単位面積あたりのアスファルト乳剤散布量を計測する方法、およびそれに関わる容器である。
本発明により計測を行うと、アスファルト乳剤散布者は計測箇所を特定することができないので、意図的に計測箇所に多く乳剤を散布する虞を排除した単位面積あたりの乳剤散布量を計測することができる。
【００１２】
(計測方法)
第一の工程は、路盤転圧前に、上部が開放された容器に実際の舗装に用いる路盤材を入れる。  路盤材は、転圧後に路盤が締固まることを考慮した量を入れる。容器と路盤材は、試験箇所に埋設する。  埋設する深さは、容器の上端と転圧面が同程度の高さか、容器の上端が転圧面より下に位置するように埋設するのが好ましい。
【００１３】
第二の工程は、埋設した箇所も同様に通常の施工で行う通りに、試験箇所も同時に路盤を転圧する。路盤の転圧後、容器と共に路盤材を回収し、合わせた重量を計測し記録する。この時計測した値をW1とする。重量を計測した後に、容器と共に路盤材を第一の工程で埋め戻した場所に戻す。
【００１４】
第三の工程は、路盤にアスファルト乳剤を散布した後、容器共に乳剤が散布された路盤材を回収し重量を計測し、記録する。この時計測した値をW2とする。
W2―W1＝乳剤散布量となる。  この乳剤散布量を、容器上部開口部の面積で除すれば、単位面積あたりの乳剤散布量を計測することができる。
【００１５】
＜計測容器＞
計測に用いる容器の側部は傾斜している必要がある。これは、容器と路盤材を回収した際に、回収した場所の路盤が痛むのを防ぐためである。容器側面が傾斜していることで、容器を回収した際にできる穴の側面は傾斜することになる。つまり、回収したあとの側部は法面が形成され法肩の角度が90度以上となり、法肩が９０度である場合と比較して路盤が傷まない。
容器の材質は、容器と路盤材を埋設して転圧することを考慮した強度があればよく、金属製や樹脂製の物がある。
【００１６】
以下、本発明の実施の形態を図面に基づいて説明する。
図１ａ）、図１ｂ）は第一の工程の状況を示す。路盤３は転圧前である。
上部が開放された容器に実際の舗装に用いる路盤材２を入れる。実際に使用する路盤材２を用いれば、岩質による色味の違いが発生しないからである。
また、路盤材２を試験箇所にて採取すれば、埋設用穴４も同時に確保することができる。
その後、図１ｂ）のように、容器１と路盤材２を、試験箇所に埋設する。
埋設する深さは、容器の上端と転圧面が同程度の高さか、容器の上端が転圧面より下方に位置するように埋設する必要がある。
【００１７】
図２ａ)、図２ｂ）は第二の工程の状況を示す。図２ａ）には第二の工程のうち、容器１と路盤材２の埋設箇所を他の路盤と同様に転圧する状況を示している。路盤の転圧は振動ローラー５にて行ったが、タンパ等の公知の機械を用いればよい。
次に図２ｂ）のように路盤の転圧後、容器１に転圧後の路盤材を、同時に埋設箇所から移動し重量を計測し、記録する。この時の重量をW1とする。  計測した後に、試験箇所に戻す
【００１８】
図３ａ）ｂ）は第３の工程の状況を示す。図３ａ）は第３の工程のうち、路盤３にアスファルト乳剤６を噴霧器７を使用して散布する状況を示している。この時、散布する作業を行う者は、容器の位置を特定することが難しいために、意図的に散布量を増やすことは出来ない。
図３ｂ）にはアスファルト乳剤６の散布後に容器１、路盤材２、アスファルト乳剤６１を同時に移動させて重量を計測してその重量をW2とする。
W2を計測した後は、埋設用穴４に路盤材２を入れて転圧する。  この時、容器の体積分以上の路盤材２‘を追加して試験箇所とその周辺を転圧し、アスファルト乳剤６を試験箇所に再度散布すれば、試験箇所は周囲と同様に道路として供することができる。
【００１９】
W1およびW2の計測が完了したら、単位面積あたりのアスファルト乳剤散布量を算出する。
単位面積あたりのアスファルト乳剤散布量の計算は、以下の計算の通り行う。
W2-W1＝ｗ
ｗ／S＝Wi
ここに、ｗ：計測容器開口部上の乳剤散布量
S：計測容器開口部の面積
Wi:単位面積あたりの乳剤散布量
【００２０】
本発明の第二の発明である計測容器１について図面に基づいて説明する。図２ａ）では路盤３および試験箇所を転圧した後、路盤材２と容器１は重量計測のために撤去する。撤去した後の埋設用穴４と路盤３の間には法肩３１が形成される。
この法肩３１の角度は、計測容器１の底部１１と側部１２の角度１３と同じである。つまり、計測容器１の底部１１と側部１２の角度１３を９０度以上にすれば、法肩３１の角度は９０度以上となる。
法肩の角度が９０度の場合と９０度より大きい場合を比較すると、法肩が９０度より大きい場合のほうが、法肩の路盤は崩れにくくなるため、路盤を傷めることなく試験を行うことができる。
【符号の説明】
【００２１】
１：計測容器
11：底部
12：側部
13：計測容器底部と側部の角度
２：路盤材
３：路盤
４：埋設用穴
５：振動ローラー
６：アスファルト乳剤
７：噴霧器
【図１】
2017226988.tif 000003
【図２】
2017226988.tif 000004
【図３】
2017226988.tif 000005